(57)【要約】  移動体通信ネットワーク構成要素及びサービスを要求するための方法。一実施形態によれば、移動体通信ネットワーク構成要素が開示され、この移動体通信ネットワーク構成要素は、第１のネットワーク機能の第１のネットワーク機能サービスセットに関して、第１のネットワーク機能サービスセット内の第１のネットワーク機能サービスインスタンスにサービスを提供する第２のネットワーク機能の第２のネットワーク機能サービスセットを特定するように構成された判定部と、特定された第２のネットワーク機能サービスセットにサービスリクエストを送信するように構成された送信部と、を具備する。
2021520659.tif 000002
【特許請求の範囲】
【請求項１】
移動体通信ネットワーク構成要素であって、
第１のネットワーク機能の第１のネットワーク機能サービスセットに関して、前記第１のネットワーク機能サービスセット内の第１のネットワーク機能サービスインスタンスにサービスを提供する第２のネットワーク機能の第２のネットワーク機能サービスセットを、前記第１のネットワーク機能サービスセットの前記第２のネットワーク機能サービスセットへのマッピングに基づいて特定するように構成された判定部と、
前記特定された第２のネットワーク機能サービスセットにサービスリクエストを送信するように構成された送信部と、を具備する、移動体通信ネットワーク構成要素。
【請求項２】
前記判定部は、前記第１のネットワーク機能サービスセットとの互換性に基づいて、前記第２のネットワーク機能サービスセットを特定するように構成されている、請求項１に記載の移動体通信ネットワーク構成要素。
【請求項３】
前記判定部は、前記第１のネットワーク機能サービスセットの前記第２のネットワーク機能サービスセットへのマッピングを記憶しているデータベースを照会することによって、前記第２のネットワーク機能サービスセットを特定するように構成されている、請求項１又は２に記載の移動体通信ネットワーク構成要素。
【請求項４】
前記データベースは、ネットワークリポジトリ機能である、請求項３に記載の移動体通信ネットワーク構成要素。
【請求項５】
前記移動体通信ネットワーク構成要素は、前記第１のネットワーク機能である、請求項１から４のいずれか１項に記載の移動体通信ネットワーク構成要素。
【請求項６】
前記移動体通信ネットワーク構成要素は、前記第１のネットワーク機能から前記第２のネットワーク機能にルーティングされるべき前記サービスリクエストを受信するように構成された受信部を具備する、請求項１から４のいずれか１項に記載の移動体通信ネットワーク構成要素。
【請求項７】
前記移動体通信ネットワーク構成要素は、シグナリング通信プロキシである、請求項６に記載の移動体通信ネットワーク構成要素。
【請求項８】
前記特定された第２のネットワーク機能サービスセットにサービスリクエストを送信することは、前記特定された第２のネットワーク機能サービスセットから第２のネットワーク機能サービスインスタンスを選択することと、前記サービスリクエストを前記第２のネットワーク機能サービスインスタンスに送信することと、を含む、請求項１から７のいずれか１項に記載の移動体通信ネットワーク構成要素。
【請求項９】
前記第１のネットワーク機能は、第１の複数のネットワーク機能サービスセットを含み、前記第２のネットワーク機能は、第２の複数のネットワーク機能サービスセットを含む、請求項１から８のいずれか１項に記載の移動体通信ネットワーク構成要素。
【請求項１０】
前記判定部は、前記第２の複数のネットワーク機能サービスセットから１つのネットワーク機能サービスセットを選択することによって、前記第２のネットワーク機能サービスセットを特定するように構成されている、請求項９に記載の移動体通信ネットワーク構成要素。
【請求項１１】
移動端末のハンドオーバ又はモビリティに関する登録の際に、前記第１のネットワーク機能は、ソースアクセス及びモビリティ管理機能であり、前記第２のネットワーク機能は、ターゲットアクセス及びモビリティ管理機能である、請求項１から１０のいずれか１項に記載の移動体通信ネットワーク構成要素。
【請求項１２】
移動端末のモビリティに関する登録の際に、前記第１のネットワーク機能は、ターゲットアクセス及びモビリティ管理機能であり、前記第２のネットワーク機能は、ソースアクセス及びモビリティ管理機能である、請求項１から９のいずれか１項に記載の移動体通信ネットワーク構成要素。
【請求項１３】
前記サービスは、移動端末のコンテキストの転送である、請求項１２に記載の移動体通信ネットワーク構成要素。
【請求項１４】
移動体通信ネットワーク構成要素によって実行される、サービスを要求するための方法であって、
第１のネットワーク機能の第１のネットワーク機能サービスセットに関して、前記第１のネットワーク機能サービスセット内の第１のネットワーク機能サービスインスタンスにサービスを提供する第２のネットワーク機能の第２のネットワーク機能サービスセットを、前記第１のネットワーク機能サービスセットの前記第２のネットワーク機能サービスセットへのマッピングに基づいて特定することと、
前記特定された第２のネットワーク機能サービスセットにサービスリクエストを送信することと、を含む、方法。
【発明の詳細な説明】
【技術分野】
【０００１】
本開示は、移動体通信ネットワーク構成要素及びサービスを要求するための方法に関する。
【０００２】
移動体通信ネットワークでは、サービスプロデューサ（service  producer）（すなわち、別の構成要素にサービスを提供するネットワーク機能（ＮＦ：Network  Function））として機能する構成要素は、複数のサービスセット（Service  Set）を含むことができ、それらのサービスセットはそれぞれ複数のサービスプロデューサインスタンスを含むことができ、各インスタンスは、同一のサービスを実施するが、しかしながら実施の点において別のサービスセットのサービスインスタンスとは異なる場合があり、したがって異なるサービスセットのインスタンスは、同一の互換特性を有していない。したがって、サービスコンシューマ（service  consumer）（すなわち、サービスを要求する他の構成要素）にとっては、どのサービスセットが、要求したサービスをサービスコンシューマに提供するかが重要となり得る。
【発明の概要】
【発明が解決しようとする課題】
【０００３】
したがって、例えば互換性要件を満たすサービスを提供するサービスセットを特定するためのアプローチが所望される。
【課題を解決するための手段】
【０００４】
一実施形態によれば、移動体通信ネットワーク構成要素が提供され、この移動体通信ネットワーク構成要素は、第１のＮＦの第１のＮＦサービスセットに関して、第１のＮＦサービスセット内の第１のＮＦサービスインスタンスにサービスを提供する第２のＮＦの第２のＮＦサービスセットを特定するように構成された判定部と、特定された第２のＮＦサービスセットにサービスリクエストを送信するように構成された送信部と、を具備する。
【０００５】
別の実施形態によれば、上述の移動体通信ネットワーク構成要素によりサービスを要求するための方法が提供される。
【０００６】
図中、同様の参照符号は、一般に、異なる図面を通して同じ部分を表す。図面は必ずしも縮尺通りではなく、その代わりに一般に本発明の原理を示すことに重点が置かれている。以下の説明では、添付の図面を参照して様々な態様を説明する。
【図面の簡単な説明】
【０００７】
【図１】移動体通信システムを示す。
【図２】移動端末に公衆陸上移動体ネットワーク（ＰＬＭＮ：Public  Land  Mobile  Network）間のモビリティを提供するための、第１のＰＬＭＮから第２のＰＬＭＮへの移動端末のハンドオーバ又はモビリティに関する登録が示された通信設備を示す。
【図３】アクセス及びモビリティ管理機能（ＡＭＦ：Access  and  Mobility  Management  Function）インスタンスに関するＮＦサービスセットのコンセプトを示す。
【図４】サービスコンシューマとして機能する第１のＮＦインスタンスが、サービスプロデューサとして機能する第２のＮＦインスタンスにサービスを要求する構成を示す。
【図５】一実施形態による、直接通信によってサービスを要求するためのフロー図を示す。
【図６】一実施形態による、間接通信によってサービスを要求するためのフロー図を示す。
【図７】図５の直接通信アプローチに基づいた、一実施形態によるハンドオーバ手順が示されたフロー図を示す。
【図８】図６の間接通信アプローチに基づいた、一実施形態によるハンドオーバ手順が示されたフロー図を示す。
【図９】図５の直接通信アプローチに基づいた、一実施形態によるＡＭＦ再割り当て手順が示されたフロー図を示す。
【図１０】図６の間接通信アプローチに基づいた、一実施形態によるＡＭＦ再割り当て手順が示されたフロー図を示す。
【図１１】第１のＡＭＦ及び第２のＡＭＦを示す。
【図１２】一実施形態による、モビリティに関する登録シナリオの際のサービスセット選択が示されたフロー図を示す。
【図１３】一実施形態による、モビリティに関する登録シナリオの際のサービスセット選択が示されたフロー図を示す。
【図１４】移動体通信ネットワーク構成要素を示す。
【図１５】サービスを要求するための方法が示されたフロー図を示す。
【発明を実施するための形態】
【０００８】
以下の詳細な説明は、本発明を実施することができる本開示の特定の詳細及び態様を例示として示す添付の図面を参照する。本発明の範囲から逸脱することなく、他の態様を利用することができ、また構造的、論理的及び電気的な変更を行うことができる。本開示の一部の態様を本開示の１つ以上の他の態様と組み合わせて新しい態様を形成することができるので、本開示の様々な態様は、必ずしも相互排他的ではない。
【０００９】
本開示の態様に対応する様々な実施例を以下に記載する：
実施例１は、図１４に図示したような移動体通信ネットワークである。
【００１０】
実施例２は、実施例１の移動体通信ネットワーク構成要素であり、判定部は、第１のＮＦサービスセットとの互換性に基づいて、第２のＮＦサービスセットを特定するように構成されている。
【００１１】
実施例３は、実施例１又は２の移動体通信ネットワーク構成要素であり、判定部は、第１のＮＦサービスセットの第２のＮＦサービスセットへのマッピングに基づいて、第２のＮＦサービスセットを特定するように構成されている。
【００１２】
実施例４は、実施例１から３のいずれか１つの移動体通信ネットワーク構成要素であり、判定部は、第１のＮＦサービスセットの第２のＮＦサービスセットへのマッピングを記憶しているデータベースを照会（consult）することによって、第２のＮＦサービスセットを特定するように構成されている。
【００１３】
実施例５は、実施例４の移動体通信ネットワーク構成要素であり、データベースは、ネットワークリポジトリ機能である。
【００１４】
実施例６は、実施例１から５のいずれか１つの移動体通信ネットワーク構成要素であり、移動体通信ネットワーク構成要素は、第１のＮＦである。
【００１５】
実施例７は、実施例１から５のいずれか１つの移動体通信ネットワーク構成要素であり、移動体通信ネットワーク構成要素は、第１のＮＦから第２のＮＦにルーティングされるべきサービスリクエストを受信するように構成された受信部を具備する。
【００１６】
実施例８は、実施例７の移動体通信ネットワーク構成要素であり、移動体通信ネットワーク構成要素は、シグナリング通信プロキシである。
【００１７】
実施例９は、実施例１から８のいずれか１つの移動体通信ネットワーク構成要素であり、特定された第２のＮＦサービスセットにサービスリクエストを送信することは、特定された第２のＮＦサービスセットから第２のＮＦサービスインスタンスを選択することと、サービスリクエストを第２のＮＦサービスインスタンスに送信することと、を含む。
【００１８】
実施例１０は、実施例１から９のいずれか１つの移動体通信ネットワーク構成要素であり、第１のＮＦは、第１の複数のＮＦサービスセットを含み、第２のＮＦは、第２の複数のＮＦサービスセットを含む。
【００１９】
実施例１１は、実施例１０の移動体通信ネットワーク構成要素であり、判定部は、第２の複数のＮＦサービスセットから１つのＮＦサービスセットを選択することによって、第２のＮＦサービスセットを特定するように構成されている。
【００２０】
実施例１２は、実施例１から１１のいずれか１つの移動体通信ネットワーク構成要素であり、移動端末のハンドオーバ又はモビリティに関する登録の際に、第１のＮＦは、ソースアクセス及びモビリティ管理機能（ＡＭＦ：Access  and  Mobility  Management  Function）であり、第２のＮＦは、ターゲットＡＭＦである。
【００２１】
実施例１３は、実施例１２の移動体通信ネットワーク構成要素であり、ハンドオーバ又はモビリティに関する登録後に、サービスは、移動端末へのサービスの提供を引き継ぐ。
【００２２】
実施例１４は、実施例１から１１のいずれか１つの移動体通信ネットワーク構成要素であり、移動端末のモビリティに関する登録の際に、第１のＮＦは、ターゲットＡＭＦであり、第２のＮＦは、ソースＡＭＦである。
【００２３】
実施例１５は、実施例１４の移動体通信ネットワーク構成要素であり、サービスは、移動端末のコンテキストの転送である。
【００２４】
実施例１６は、図１５に示したようなサービスを要求するための方法である。
【００２５】
実施例１７は、実施例１６の方法であり、第１のＮＦサービスセットとの互換性に基づいて、第２のＮＦサービスセットを特定することを含む。
【００２６】
実施例１８は、実施例１６又は１７の方法であり、第１のＮＦサービスセットの第２のＮＦサービスセットへのマッピングに基づいて、第２のＮＦサービスセットを特定することを含む。
【００２７】
実施例１９は、実施例１６から１８のいずれか１つの方法であり、第１のＮＦサービスセットの第２のＮＦサービスセットへのマッピングを記憶しているデータベースを照会することによって、第２のＮＦサービスセットを特定することを含む。
【００２８】
実施例２０は、実施例１９の方法であり、データベースは、ネットワークリポジトリ機能である。
【００２９】
実施例２１は、実施例１６から２０のいずれか１つの方法であり、第１のＮＦによって実行される。
【００３０】
実施例２２は、実施例１６から２１のいずれか１つの方法であり、第１のＮＦから第２のＮＦにルーティングされるべきサービスリクエストを受信することを含む。
【００３１】
実施例２３は、実施例２２の方法であり、シグナリング通信プロキシによって実行される。
【００３２】
実施例２４は、実施例１６から２３のいずれか１つの方法であり、特定された第２のＮＦサービスセットにサービスリクエストを送信することは、特定された第２のＮＦサービスセットから第２のＮＦサービスインスタンスを選択することと、サービスリクエストを第２のＮＦサービスインスタンスに送信することと、を含む。
【００３３】
実施例２５は、実施例１６から２４のいずれか１つの方法であり、第１のＮＦは、第１の複数のＮＦサービスセットを含み、第２のＮＦは、第２の複数のＮＦサービスセットを含む。
【００３４】
実施例２６は、実施例２５の方法であり、第２の複数のＮＦサービスセットから１つのＮＦサービスセットを選択することによって、第２のＮＦサービスセットを特定することを含む。
【００３５】
実施例２７は、実施例１６から２６のいずれか１つの方法であり、移動端末のハンドオーバ又はモビリティに関する登録の際に、第１のＮＦは、ソースＡＭＦであり、第２のＮＦは、ターゲットＡＭＦである。
【００３６】
実施例２８は、実施例２６の方法であり、ハンドオーバ又はモビリティに関する登録後に、サービスは、移動端末へのサービスの提供を引き継ぐ。
【００３７】
実施例２９は、実施例１６から２５のいずれか１つの方法であり、移動端末のモビリティに関する登録の際に、第１のＮＦは、ターゲットＡＭＦであり、第２のＮＦは、ソースＡＭＦである。
【００３８】
実施例３０は、実施例２８の方法であり、サービスは、移動端末のコンテキストの転送である。
【００３９】
上記の実施例のいずれかの特徴の１つ以上は、他の実施例のいずれか１つと組み合わせてよいことに留意されたい。以下では、様々な実施例をより詳細に説明する。
【００４０】
図１は、移動体通信システム１００を示す。移動体通信システム１００は、ユーザ装置（ＵＥ：User  Equipment）、ナノ装置（ＮＥ：Nano  Equipment）等の移動無線端末装置１０２を含む。加入者端末とも称される移動無線端末装置１０２は、端末側を形成し、その一方で、以下に説明する移動体通信システム１００の他の構成要素は、移動体通信ネットワーク側の部分、すなわち移動体通信ネットワークの部分（例えば、ＰＬＭＮ）である。
【００４１】
さらに、移動体通信システム１００は、無線アクセスネットワーク（ＲＡＮ：Radio  Access  Network）１０３を含み、このＲＡＮ１０３は、複数のＲＡＮノード、すなわち５Ｇ（第５世代）無線アクセス技術（5G  New  Radio）に準拠する無線アクセスを提供するように構成された基地局を含んでよい。移動体通信システム１００はまた、ロングタームエボリューション（ＬＴＥ：Long  Term  Evolution）又はＷｉ−Ｆｉ（無線ワイヤレスローカルエリアネットワーキング）又は別の移動体通信規格に準拠するように構成されてもよいが、ここでは一例として５Ｇが使用されていることに留意されたい。各ＲＡＮノードは、エアインターフェースを介して、移動無線端末装置１０２との無線通信を提供してよい。ＲＡＮ１０３は、任意の数のＲＡＮノードを含んでよいことに留意されたい。
【００４２】
移動体通信システム１００は、さらに、ＲＡＮ１０３に接続されたＡＭＦ１０１、統合データ管理（ＵＤＭ：Unified  Data  Management）１０４、ネットワークスライス選択機能（ＮＳＳＦ：Network  Slice  Selection  Function）１０５を含んでいるコアネットワークを含む。ここで、また以下の例において、ＵＤＭは、さらに、目下のＵＥのサブスクリプションデータベースから構成することができ、これは例えば、統合データリポジトリ（ＵＤＲ：Unified  Data  Repository）として公知である。コアネットワークは、さらに、認証サーバ機能（ＡＵＳＦ：Authentication  Server  Function）１１４及びポリシー制御機能（ＰＣＦ：Policy  Control  Function）１１５を含む。
【００４３】
移動体通信システム１００のコアネットワークは、さらに、（少なくとも）ＡＭＦ１０１が接続されているネットワークリポジトリ機能（ＮＲＦ：Network  Repository  Function）１１６を含む。
【００４４】
移動体通信システム１００は、さらに、（少なくとも）ＮＲＦ１１６に接続されている運用保守（Ｏ＆Ｍ：Operations  and  Maintenance）システム１１７を含んでよい。Ｏ＆Ｍシステム１１７は、例えば運用支援システム／ビジネス支援システム（ＯＳＳ／ＢＳＳシステム：Operations  Support  System/Business  Support  System）に対応してよく、このＯＳＳ／ＢＳＳシステムは、例えば、サービス管理機能（ＳｅｒＭＦ：Service  Management  Function）及びネットワークスライス管理機能（ＮＳＭＦ：Network  Slice  Management  Function）を含む。
【００４５】
コアネットワークは、複数の（コア）ネットワークスライス１０６、１０７を有してよく、またネットワークスライス１０６、１０７毎に、オペレータは、複数のネットワークスライスインスタンス（ＮＳＩ：Network  Slice  Instance）１０８、１０９を生成してよい。この例では、コアネットワークは、モバイルブロードバンドのさらなる高度化（ｅＭＢＢ：enhanced  Mobile  Broadband）を提供するための３つのコアネットワークスライスインスタンス（ＣＮＩ：Core  Network  slice  Instance）１０８を有する第１のコアネットワークスライス１０６と、車とあらゆるものとの通信（Ｖ２Ｘ：Vehicle-to-Everything）を提供するための３つのＣＮＩ１０９を有する第２のコアネットワークスライス１０７と、を含む。
【００４６】
一般的に、ネットワークスライスが展開される場合、ＮＦはインスタンス化されるか、又は（既にインスタンス化されている場合には）ＮＳＩを形成するために参照され、またＮＳＩに属するＮＦは、ＮＳＩ識別（identification）でもって設定される。
【００４７】
特に、この例では、第１のコアネットワークスライス１０６の各インスタンス１０８は、第１のセッション管理機能（ＳＭＦ：Session  Management  Function）１１０及び第１のユーザプレーン機能（ＵＰＦ：User  Plane  Function）１１１を含み、第２のコアネットワークスライス１０７の各インスタンス１０９は、第２のＳＭＦ１１２及び第２のＵＰＦ１１３を含む。
【００４８】
移動端末がＡＭＦによってサービスが提供されているときに、そのＡＭＦのサービスエリアを離れる場合には、別のＡＭＦへの移動端末のハンドオーバ又はモビリティの登録（再選択（reselection））が実行されてよい。
【００４９】
図２は、移動端末（例えば、ＵＥ）２０１にモビリティサポートを提供するための、第１のＡＭＦ２０３から第２のＡＭＦ２０５への移動端末２０１のハンドオーバ又はモビリティに関する登録が示された通信設備２００を示す。
【００５０】
図１を参照して説明したように、第１のＡＭＦ２０３は、第１のＲＡＮ２０２とのコアネットワークコネクティビティを提供し、第２のＡＭＦ２０３は、第２のＲＡＮ２０４とのコアネットワークコネクティビティを提供する。
【００５１】
ハンドオーバのケースでは、移動端末２０１は、第１のＲＡＮ２０２を介して、通信セッションを行う。このことは、移動端末２０１が、第１のＡＭＦ２０３によって制御される第１のＲＡＮ２０２を介して、通信セッションを行うことを意味する。ハンドオーバ後、移動端末２０１は、第２のＲＡＮ２０４を介して通信セッションを継続する。このことは、ハンドオーバ後に、移動端末２０１が、第２のＡＭＦ２０５によって制御される第２のＲＡＮ２０４を介して通信セッションを行い、第１のＲＡＮ２０２を介して行われた先行の通信セッションを継続することを意味する。
【００５２】
モビリティに関する登録のケースでは、ＵＥ２０１は、アイドルモードにあり、またモビリティに関する登録の前は、第１のＡＭＦ２０３によって制御される第１のＲＡＮ２０２に在圏（camp）し、モビリティに関する登録の後は、ＵＥ２０１は、第２のＡＭＦ２０５によって制御される第２のＲＡＮ２０４に在圏する。
【００５３】
３ＧＰＰ（第３世代パートナーシッププロジェクト）リリース１６に準拠する５ＧＣでは、「相互互換性があるＮＦサービスインスタンスのセット（set  of  interchangeable  NF  Service  instances）」として規定された、ＮＦサービスセット（NF  Service  Set）が導入されている。ＮＦインスタンス内には（又は、同様にＮＦセット内には）、同一のＮＦサービスタイプの複数のＮＦサービスセットが存在することができ、各ＮＦサービスセットは、ＮＦサービスセットＩＤによって識別される。
【００５４】
図３は、ＡＭＦインスタンス３００に関するＮＦサービスセットのコンセプトを示す。ＡＭＦインスタンス３００は、例えばＡＭＦセットの一部であり、例えば図１のＡＭＦ１０１に対応する。
【００５５】
ＡＭＦインスタンス３００は、４つのＮＦサービスセット３０１〜３０４、すなわち第１のAMF_Commサービスセット３０１、第２のAMF_Commサービスセット３０２、AMF_Exposureサービスセット３０３及びAMF_MTサービスセット３０４を含む。
【００５６】
各ＮＦサービスセット３０１〜３０４は、相互互換性がある（interchangeable）複数のＮＦサービスインスタンス３０５を含む。「相互互換性がある」という用語は、１つのＮＦサービスセット内の各ＮＦサービスインスタンス３０５が、ＮＦサービスタイプの同一のフレーバ（flavour）を実現すること、例えばＮＦサービスセット内の各ＮＦサービスインスタンス３０５が同一の互換特性を有することを表してよい。例えば、第１のAMF_Commサービスセット３０１は、同一の独自の（proprietary）実装を有する複数のAMF_communicationサービスインスタンス３０５を含んでよい。
【００５７】
様々な実施形態によれば、サービスコンシューマは、ターゲットＮＦサービスプロデューサインスタンスに関する適切なＮＦサービスセット（フレーバ）を選択することによって、サービスリクエスト（Service  Request）を送信する。これは、図４に図示されている。
【００５８】
図４は、サービスコンシューマとして機能する第１のＮＦインスタンス４０１が、サービスプロデューサとして機能する第２のＮＦインスタンス４０２にサービスを要求する構成４００を示す。ＡＭＦインスタンス３００と同様に、各ＮＦインスタンス４０１、４０２は、サービスセット４０３〜４０８を含み、各サービスセットは、複数のサービスセットインスタンス４０９を含む。
【００５９】
ここでは、第１のＮＦインスタンス４０１のサービスセットServ_1  Set_1  ４０３のインスタンスが、第２のＮＦインスタンス４０２にサービスServ_aを要求する必要がある場合を想定する。しかしながら、Serv_aに関しては２つのＮＦサービスセット、すなわちServ_a  Set_x  ４０６及びServ_a  Set_y  ４０７が存在している。Serv_a  Set_x  ４０６は、Serv_1  Set_1  ４０３と互換性があるが、Serv_a  Set_y  ４０７は、Serv_1  Set_1  ４０３と互換性がないことが起こり得る。したがって、どちらのＮＦサービスセット４０６、４０７が、ターゲットＮＦインスタンス４０２における適切なＮＦサービスフレーバを実装しているかを判定するための、すなわち（適切な）ターゲットＮＦサービスセットを特定するためのアプローチが必要になる。
【００６０】
様々な実施形態によれば、以下を含むアプローチが提供される：
１）発見ステップによる、サービスコンシューマのＮＦサービスセットＩＤと、サービスプロデューサのＮＦサービスセットＩＤとのマッピングの実行、
２）選択パラメータとしての、マッピングされたＮＦサービスセットＩＤを考慮した、サービスリクエストのルーティングの実行。
【００６１】
図５は、一実施形態による、直接通信によってサービスを要求するためのフロー図５００を示す。図４と同様に、２つのＮＦインスタンス５０１、５０２がフローに関係しており、各ＮＦインスタンス５０１、５０２は、サービスセット５０３〜５０８を含み、各サービスセットは、複数のサービスセットインスタンス５０９を含む。さらに、ＮＲＦ５１３がフローに関係しており、このＮＲＦ５１３は、（少なくとも）第１のＮＦインスタンス５０１が属する通信ネットワークのＮＲＦであり、例えばＮＲＦ１１６に対応する。
【００６２】
図４の例のように、第１のＮＦインスタンス５０１のサービスセットServ_1  Set_1  ５０３のインスタンスは、第２のＮＦインスタンス５０２にサービスServ_aを要求する必要がある。Serv_aに関しては２つのＮＦサービスセット、すなわちServ_a  Set_x  ５０６及びServ_a  Set_y  ５０７が存在しており、Serv_a  Set_x  ５０６は、Serv_1  Set_1  ５０３と互換性があるが、Serv_a  Set_y  ５０７は、Serv_1  Set_1  ５０３と互換性がないことが想定される。
【００６３】
適切なサービスセット、すなわちServ_a  Set_x  ５０６が提供されるために、第１のＮＦインスタンス（サービスコンシューマ）は、５１１において、ＮＲＦ５１３と共に発見を実行し、マッピングされたＮＦサービスＩＤを取得する。これは、所望のサービスServ_a及びソースＮＦサービスセットServ_1  Set_1  ５０３を指定しているメッセージである発見リクエスト（Discovery  request）５１０の送信を含む。
【００６４】
ＮＲＦ５１３は、５１１において、ターゲットＮＦインスタンス５０２及びターゲットＮＦサービスセットServ_a  Set_x  ５０６、すなわちServ_1  Set_1  ５０３がマッピングされたＮＦサービスセットを指定する発見応答（Discovery  response）メッセージでもって応答する。発見応答メッセージは、ターゲットＮＦインスタンス及びターゲットＮＦサービスセットのリストを含んでよく、そのリストから第１のＮＦインスタンス５０１は選択を行うことができることに留意されたい。
【００６５】
ＮＲＦ５１３は、５１０において送信されたような発見リクエストに応答できるようにするために、例えば互換性のあるＮＦサービスセットのマッピングを記憶してよい。マッピングは、ＮＲＦ５１３又は別の構成要素によって事前に決定されて、ＮＲＦ５１３に記憶されてよい。
【００６６】
５１２において、第１のＮＦインスタンス５０１は、サービスリクエストを、（場合によっては、ＮＲＦ５１３によって提供されたリストから選択された）第２のＮＦインスタンス５０２にルーティングする。サービスリクエストは、第２のＮＦインスタンス５０２に関する、マッピングされたＮＦサービスセットＩＤ  Serv_a  Set_x  ５０６の指定を含む。
【００６７】
図６は、一実施形態による、間接通信によってサービスを要求するためのフロー図６００を示す。図５と同様に、２つのＮＦインスタンス６０１、６０２がフローに関係しており、各ＮＦインスタンス６０１、６０２は、サービスセット６０３〜６０８を含み、各サービスセットは、複数のサービスセットインスタンス６０９を含む。さらに、シグナリング通信プロキシ（ＳＣＰ：Signalling  Communication  Proxy）６１３がフローに関係しており、このＳＣＰ６１３は、（少なくとも）第１のＮＦインスタンス６０１が属する通信ネットワークのＳＣＰである。
【００６８】
図５の例のように、第１のＮＦインスタンス６０１のサービスセットServ_1  Set_1  ６０３のインスタンスは、第２のＮＦインスタンス６０２にサービスServ_aを要求する必要がある。Serv_aに関しては２つのＮＦサービスセット、すなわちServ_a  Set_x  ６０６及びServ_a  Set_y  ６０７が存在しており、Serv_a  Set_x  ６０６は、Serv_1  Set_1  ６０３と互換性があるが、Serv_a  Set_y  ６０７は、Serv_1  Set_1  ６０３と互換性がないことが想定される。
【００６９】
この例では、第１のＮＦインスタンス６０１は、適切なＮＦサービスセットの発見を自身で実行しない。その代わりに、６１０において、第１のＮＦインスタンス６０１は、要求するサービスServ_a及びソース（すなわち要求を行う）ＮＦサービスセットSet_1を指定しているサービスリクエストをＳＣＰ６１３に送信する。
【００７０】
６１１において、ＳＣＰ６１３は、発見を実行する。このことは、ＳＣＰ６１３が、サービスコンシューマのＮＦサービスセットＩＤ、すなわちServ_1  Set_1を、第２のＮＦインスタンス６０２のＮＦサービスセットにマッピングし、ソースＮＦサービスセットと互換性のあるターゲットＮＦサービスセットを特定することを意味する。この例では、Serv_1  Set_1が、Serv_a  Set_xにマッピングされる。
【００７１】
６１２において、ＳＣＰ６１３は、サービスリクエストを第２のＮＦインスタンス６０２にルーティングする。ルーティングされるサービスリクエストは、第２のＮＦインスタンス６０２に関する、マッピングされたＮＦサービスセットＩＤ  Serv_a  Set_x  ６０６の指定を含む。
【００７２】
以下では、図５及び図６のアプローチの（Ｎ２ベースの）ハンドオーバへの適用の一例を説明し、この例において、第１のＮＦインスタンス５０１、６０１は、例えば、図２の第１のＡＭＦ２０３に対応し、第２のＮＦインスタンス５０２、６０２は、例えば、図２の第２のＡＭＦ２０５に対応する。したがって、以下の例では、ＮＦがＡＭＦを表す。
【００７３】
図７は、図５の直接通信アプローチに基づいた、一実施形態によるハンドオーバ手順が示されたフロー図７００を示す。ＮＲＦ７０１、ソースＡＭＦ（具体的には、ソースＡＭＦインスタンス）７０２及びターゲットＡＭＦ（具体的には、ターゲットＡＭＦインスタンス）７０３がフローに関係している。ソースＡＭＦ（Ｓ−ＡＭＦ）７０２は、例えば、図２の第１のＡＭＦ２０３に対応し、ターゲットＡＭＦ（Ｔ−ＡＭＦ）７０３は、例えば、図２の第２のＡＭＦ２０５に対応する。
【００７４】
ソースＡＭＦ７０２は、例えばそのソースＡＭＦ７０２において局所的に設定されたＡＭＦ情報を他の手段によって利用できなければ、ターゲットＡＭＦインスタンス７０３を発見するためにＮＲＦ７０１を利用する。さらに、ソースＡＭＦ７０２は、直接通信のこの例では、サービスを要求する自身のソースＮＦサービスセットに適したターゲットＮＦサービスセットを発見するためにＮＲＦ７０１を利用する。
【００７５】
これに関して、７０４において、ソースＡＭＦ７０２は、ＮＲＦに以下を提供する：
・ＮＦサービス名（NF  service  Name）（複数可）、例えば要求されるべきサービスのＮＦサービス名、
・ターゲットＮＦ（ターゲットＡＭＦ７０３）のＮＦタイプ、
・ＮＦサービスコンシューマ（ソースＡＭＦ７０２）のＮＦタイプ、
・Ｔ−ＡＭＦ範囲、ＡＭＦセットＩＤ（AMF  Set  ID）（例えば、Ｔ−ＡＭＦ７０３のＡＭＦセットＩＤ）、Ｔ−ＡＭＦ７０３のＧＵＡＭＩ（Globally  Unique  AMF  ID）、
・サービスを要求しているＳ−ＡＭＦサービスセットのＳ−ＡＭＦサービスセットＩＤ（S-AMF  service  Set  ID）、すなわちマッピングされるべきＳ−ＡＭＦ７０２のサービスセットの識別。
【００７６】
これに応答して、７０５において、ＮＲＦ７０１は以下を提供する：
・ＮＦインスタンス（すなわち、考えられるターゲットＡＭＦインスタンス）のセット、ＮＦインスタンス毎に以下を含む：
・ＮＦタイプ、
・ＮＦインスタンスＩＤ、
・ＮＦインスタンスの完全修飾ドメイン名（ＦＱＤＮ：Fully  Qualified  Domain  Name）又はＩＰアドレス（複数可）、
・サービスインスタンスのリスト、ただし各サービスインスタンスは以下を有する：
・サービス名、
・ＮＦサービスインスタンスＩＤ、
・オプションのエンドポイントアドレス（Endpoint  Address）（複数可）、
・ＮＦ（すなわちターゲットＡＭＦ）サービスセットＩＤ、すなわち、Ｓ−ＡＭＦ７０２のサービスセットがマッピングされた（それぞれのターゲットＡＭＦ７０３内の）それぞれのＮＦサービスセットに関するＮＦサービスセットＩＤ。
【００７７】
７０６において、ソースＡＭＦ７０２は、ＮＲＦ７０１によって提供されたターゲットＡＭＦのリストからターゲットＡＭＦを選択する。７０７において、ソースＡＭＦ７０２は、ターゲットＮＦサービスセットＩＤを含むNamf_Communication_CreateUEContextリクエストメッセージを用いて、選択されたターゲットＡＭＦ７０３にサービスを要求する。７０８において、ターゲットＡＭＦ７０３は、Namf_Communication_CreateUEContext応答メッセージを用いて、リクエストに対する肯定応答を行う。
【００７８】
図８は、図６の間接通信アプローチに基づいた、一実施形態によるハンドオーバ手順が示されたフロー図８００を示す。ＮＲＦ８０１、ソースＡＭＦ（インスタンス）８０２、ＳＣＰ８０３及びターゲットＡＭＦ（インスタンス）８０４がフローに関係している。ソースＡＭＦ（Ｓ−ＡＭＦ）８０２は、例えば、図２の第１のＡＭＦ２０３に対応し、ターゲットＡＭＦ（Ｔ−ＡＭＦ）８０３は、例えば、図２の第２のＡＭＦ２０５に対応する。
【００７９】
オプションとして、ソースＡＭＦ８０２は、例えばそのソースＡＭＦ８０２において局所的に設定されたＡＭＦ情報を他の手段によって利用できなければ、ターゲットＡＭＦインスタンス８０３を発見するために、ＮＲＦ８０１を利用する。
【００８０】
これに関して、８０５において、ソースＡＭＦ８０２は、ＮＲＦに以下を提供する：
・ＮＦサービス名（複数可）、例えば要求されるべきサービスのＮＦサービス名、
・ターゲットＮＦ（ターゲットＡＭＦ８０３）のＮＦタイプ、
・ＮＦサービスコンシューマ（ソースＡＭＦ８０２）のＮＦタイプ
・Ｔ−ＡＭＦ範囲、ＡＭＦセットＩＤ（例えば、Ｔ−ＡＭＦ８０３のＡＭＦセットＩＤ）、Ｔ−ＡＭＦ８０３のＧＵＡＭＩ（Globally  Unique  AMF  ID）。
【００８１】
これに応答して、８０６において、ＮＲＦ８０１は以下を提供する：
・ＮＦインスタンス（すなわち、考えられるターゲットＡＭＦインスタンス）のセット、ＮＦインスタンス毎に以下を含む：
・ＮＦタイプ、
・ＮＦインスタンスＩＤ、
・ＮＦインスタンスのＦＱＤＮ又はＩＰアドレス（複数可）、
・サービスインスタンスのリスト、ただし各サービスインスタンスは以下を有する：
・サービス名、
・ＮＦサービスインスタンスＩＤ、
・オプションのエンドポイントアドレス（複数可）。
【００８２】
８０７において、ソースＡＭＦ８０２は、ＮＲＦ８０１によって提供されたターゲットＡＭＦのリストからターゲットＡＭＦを選択する。８０８において、ソースＡＭＦ８０２は、ＳＣＰ８０３に送信するNamf_Communication_CreateUEContextリクエストメッセージを用いて、選択されたターゲットＡＭＦ８０４に関するサービスリクエストを送信する。メッセージは、発見及び選択パラメータを含み、特にソースＮＦサービスセットＩＤを含む。
【００８３】
８０９において、ＳＣＰ８０３は、Ｔ−ＡＭＦ８０４のターゲットＮＦサービスセットＩＤへのソースＮＦサービスセットＩＤのマッピングを実行する。８１０において、ＳＣＰ８０３は、ソースＮＦサービスセットＩＤがマッピングされたターゲットＮＦサービスセットＩＤを含むサービスリクエストをＴ−ＡＭＦ８０４にルーティングする。８１１において、ターゲットＡＭＦ８０３は、Namf_Communication_CreateUEContext応答メッセージを用いて、リクエストに対する肯定応答を行う。
【００８４】
以下では、図５及び図６のアプローチのＡＭＦ再割り当てによる登録への適用の一例を説明し、この例において、第１のＮＦインスタンス５０１、６０１は、例えば、第１のＡＭＦに対応し、第２のＮＦインスタンス５０２、６０２は、例えば、同一のＰＬＭＮの第２のＡＭＦに対応する。
【００８５】
図９は、図５の直接通信アプローチに基づいた、一実施形態によるＡＭＦ再割り当て手順が示されたフロー図９００を示す。ＮＲＦ９０１、ソース（又はイニシャル）ＡＭＦ（インスタンス）９０２及びターゲットＡＭＦ（インスタンス）９０３がフローに関係している。例えば、移動端末は、ＡＭＦ９０２、９０３が属する通信ネットワークに登録されており、また移動端末へのサービスの提供を行うために、（例えば、デフォルトＡＭＦであることから）イニシャルＡＭＦ９０２が最初に選択されているが、しかしながらここでは、移動端末がターゲットＡＭＦ９０３に再割り当てされるものとする。
【００８６】
９０４において、再割り当てがトリガされる。ソースＡＭＦ９０２は、例えばそのソースＡＭＦ９０２において局所的に設定されたＡＭＦ情報を他の手段によって利用できなければ、ターゲットＡＭＦインスタンス９０３を発見するために、ＮＲＦ９０１を利用する。さらに、ソースＡＭＦ９０２は、直接通信のこの例では、サービスを要求する自身のソースＮＦサービスセットに適したターゲットＮＦサービスセットを発見するためにＮＲＦ９０１を利用する。
【００８７】
これに関して、９０５において、ソースＡＭＦ９０２は、ＮＲＦに以下を提供する：
・ＮＦサービス名（複数可）、例えば要求されるべきサービスのＮＦサービス名、
・ターゲットＮＦ（ターゲットＡＭＦ９０３）のＮＦタイプ、
・ＮＦサービスコンシューマ（ソースＡＭＦ９０２）のＮＦタイプ、
・Ｔ−ＡＭＦ範囲、ＡＭＦセットＩＤ（例えば、Ｔ−ＡＭＦ９０３のＡＭＦセットＩＤ）、Ｔ−ＡＭＦ９０３のＧＵＡＭＩ、
・サービスを要求しているＳ−ＡＭＦサービスセットのＳ−ＡＭＦサービスセットＩＤ、すなわちマッピングされるべきＳ−ＡＭＦ９０２のサービスセットの識別。
【００８８】
これに応答して、９０６において、ＮＲＦ９０１は以下を提供する：
・ＮＦインスタンス（すなわち、考えられるターゲットＡＭＦインスタンス）のセット、ＮＦインスタンス毎に以下を含む：
・ＮＦタイプ、
・ＮＦインスタンスＩＤ、
・ＮＦインスタンスのＦＱＤＮ又はＩＰアドレス（複数可）、
・サービスインスタンスのリスト、ただし各サービスインスタンスは以下を有する：
・サービス名、
・ＮＦサービスインスタンスＩＤ、
・オプションのエンドポイントアドレス（複数可）、
・ＮＦ（すなわちターゲットＡＭＦ）サービスセットＩＤ、すなわち、Ｓ−ＡＭＦ９０２のサービスセットがマッピングされた（それぞれのターゲットＡＭＦ９０３内の）それぞれのＮＦサービスセットに関するＮＦサービスセットＩＤ。
【００８９】
９０７において、ソースＡＭＦ９０２は、ターゲットＮＦサービスセットＩＤを含むNamf_Communication_N1MessageNotifyメッセージを用いて、ターゲットＡＭＦ９０３にサービスを要求する。９０８において、ターゲットＡＭＦ９０３は、リクエストに対する肯定応答を行う。
【００９０】
図１０は、図６の間接通信アプローチに基づいた、一実施形態によるＡＭＦ再割り当て手順が示されたフロー図１０００を示す。ＮＲＦ１００１、ソース（又はイニシャル）ＡＭＦ（インスタンス）１００２、ＳＣＰ１００３及びターゲットＡＭＦ（インスタンス）１００４がフローに関係している。
【００９１】
ソースＡＭＦ１００２は、例えばそのソースＡＭＦ１００２において局所的に設定されたＡＭＦ情報を他の手段によって利用できなければ、ターゲットＡＭＦインスタンス１００４を発見するために、ＮＲＦ１００１を利用する。例えば、移動端末は、ＡＭＦ１００２、１００４が属する通信ネットワークに登録されており、また移動端末へのサービスの提供を行うために、（例えば、デフォルトＡＭＦであることから）イニシャルＡＭＦ１００２が最初に選択されているが、しかしながらここでは、移動端末がターゲットＡＭＦ１００４に再割り当てされるものとする。
【００９２】
１００５において、再割り当てがトリガされる。オプションとして、ソースＡＭＦ１００２は、例えばそのソースＡＭＦ１００２において局所的に設定されたＡＭＦ情報を他の手段によって利用できなければ、ターゲットＡＭＦインスタンス１００４を発見するために、ＮＲＦ１００１を利用する。
【００９３】
これに関して、１００６において、ソースＡＭＦ１００２は、ＮＲＦに以下を提供する：
・ＮＦサービス名（複数可）、例えば要求されるべきサービスのＮＦサービス名、
・ターゲットＮＦ（ターゲットＡＭＦ１００４）のＮＦタイプ、
・ＮＦサービスコンシューマ（ソースＡＭＦ１００２）のＮＦタイプ、
・Ｔ−ＡＭＦ範囲、ＡＭＦセットＩＤ（例えば、Ｔ−ＡＭＦ１００４のＡＭＦセットＩＤ）、Ｔ−ＡＭＦ１００４のＧＵＡＭＩ。
【００９４】
これに応答して、１００７において、ＮＲＦ１００１は以下を提供する：
・ＮＦインスタンス（すなわち、考えられるターゲットＡＭＦインスタンス）のセット、ＮＦインスタンス毎に以下を含む：
・ＮＦタイプ、
・ＮＦインスタンスＩＤ、
・ＮＦインスタンスのＦＱＤＮ又はＩＰアドレス（複数可）、
・サービスインスタンスのリスト、ただし各サービスインスタンスは以下を有する：
・サービス名、
・ＮＦサービスインスタンスＩＤ、
・オプションのエンドポイントアドレス（複数可）。
【００９５】
１００８において、ソースＡＭＦ１００２は、ＳＣＰ１００３に送信するNamf_Communication_N1MessageNotifyメッセージを用いて、ターゲットＡＭＦ１００４にサービスを要求する。メッセージは、ソースＮＦサービスセットＩＤを含む。
【００９６】
１００９において、ＳＣＰ１００３は、Ｔ−ＡＭＦ１００４のターゲットＮＦサービスセットＩＤへのソースＮＦサービスセットＩＤのマッピングを実行する。１０１０において、ＳＣＰ１００３は、ソースＮＦサービスセットＩＤがマッピングされたターゲットＮＦサービスセットＩＤを含むサービスリクエストをＴ−ＡＭＦ１００４にルーティングする。１０１１において、ターゲットＡＭＦ１００３は、リクエストに対する肯定応答を行う。
【００９７】
以下では、モビリティに関する登録シナリオの際に（適切な）ターゲットＮＦサービスセットを特定するためのアプローチの一例（ＡＭＦサービスセット再割り当てを含む）を説明する。図１１に図示したように、新しい（又はターゲット）ＡＭＦ及び古い（又はソース又はイニシャル）ＡＭＦが存在する場合を想定する。
【００９８】
図１１は、第１のＡＭＦ（新しいＡＭＦ）１１０１及び第２のＡＭＦ（古いＡＭＦ）１１０２を示す。第１のＡＭＦ１１０１は、４つのＮＦサービスセット１１０３〜１１０６、すなわち第１のAMF_Commサービスセット（セット１）１１０３、第２のAMF_Commサービスセット（セット２）１１０４、第１のAM_Exposureサービスセット（セットｘ）１１０５及び第１のAMF_MTサービスセット（セットｙ）１１０６を含む。第２のＡＭＦ１１０２は、４つのＮＦサービスセット１１０７〜１１１０、すなわち第３のAMF_Commサービスセット（セットａ）１１０７、第４のAMF_Commサービスセット（セットｂ）１１０８、第２のAM_Exposureサービスセット（セットｚ）１１０９及び第２のAMF_MTサービスセット（セットｗ）１１１０を含む。第１のＡＭＦ１１０１は、例えば、図２における第２のＡＭＦ２０５に対応し、第２のＡＭＦ１１０２は、例えば、図２における第１のＡＭＦ２０３に対応する。
【００９９】
移動端末（例えば、ＵＥ２０１）が、モビリティに関する登録を実行し、これが新しいＡＭＦ１１０１によって受信される場合を想定する。さらに、新しいＡＭＦ１１０１及び古いＡＭＦ１１０２は、コンテキストを共有しておらず、例えば、新しいＡＭＦ１１０１及び古いＡＭＦ１１０２は、同一のＡＭＦセット（ＮＦセット）になく、また移動端末のコンテキストは、第４のAMF_Commサービスセット（セットｂ）１１０８によって記憶（又は管理）されている場合を想定する。
【０１００】
さらに、この例については、互換性に関して以下を想定する：
・新しいＡＭＦ１１０１における第１のAMF_Commサービスセット（セット１）１１０３は、古いＡＭＦ１１０２における第３のAMF_Commサービスセット（セットａ）１１０７と互換性がある。
・新しいＡＭＦ１１０１における第２のAMF_Commサービスセット（セット２）１１０４は、古いＡＭＦ１１０２における第４のAMF_Commサービスセット（セットｂ）１１０８と互換性がある。
【０１０１】
以下では、新しいＡＭＦ１１０１における適切なサービスセットを選択するためのアプローチを、図１２及び図１３を参照しながら説明する。
【０１０２】
図１２は、一実施形態による、モビリティに関する登録シナリオの際のサービスセット選択が示されたフロー図１２００を示す。例えばＵＥ２０１に対応するＵＥ１２０１、例えば第２のＲＡＮ２０４に対応するＲＡＮ１２０２、新しいＡＭＦ１１０１に対応する新しいＡＭＦ１２０３、ＮＲＦ１２０２、及び古いＡＭＦ１２０２に対応する古いＡＭＦ１２０３がフローに関係している。
【０１０３】
図１２のアプローチでは、ＵＥ１２０１が、自身のコンテキストを記憶しているサービスセット（第４のAMF_Commサービスセット（セットｂ）１１０８）のＮＦサービスセットＩＤを記憶しており、このサービスセットＩＤを登録リクエストと共に提供する。これは、新しいＡＭＦ１２０３の適切なＮＦサービスセットへの再割り当てをトリガする。１２０４において、ＵＥ１２０１は、登録リクエストを新しいＡＭＦ１２０３に送信する。登録リクエストは、第４のAMF_Commサービスセット（セットｂ）１１０８の識別を含む。１２０５において、登録リクエストが、（例えば、デフォルトで）第１のAMF_Commサービスセット（セット１）１１０３に割り振られる。したがって、ＡＭＦサービスセット再割り当てが必要である。第１のAMF_Commサービスセット（セット１）１１０３は、ＵＥ１２０１によって示された第４のAMF_Commサービスセット（セットｂ）１１０８と互換性がないので、新しいＡＭＦ１２０３は、それを認識する。
【０１０４】
どのＡＭＦサービスセットへの再割り当てが必要であるかを調べるために、新しいＡＭＦ１２０３は、１２０８において、特に第４のAMF_Commサービスセット（セットｂ）１１０８を指定している発見リクエストをＮＲＦ１２０２に送信する。ＮＲＦ１２０２は、第４のAMF_Commサービスセット（セットｂ）１１０８のマッピングを検査し、第２のAMF_Commサービスセット（セット２）１１０４にマッピングすることを調べ、また１２０９において、第２のAMF_Commサービスセット（セット２）１１０４を新しいＡＭＦ１２０３に示す。
【０１０５】
この例では、古いＮＦのサービスセットが新しいＮＦのサービスセットに基づいて特定されているのに対し、図５から図１０においては逆のやり方での特定が行われているので、この例における発見プロセスは、図５から図１０の発見プロセスとは逆であることが分かる。
【０１０６】
１２１０において、第１のAMF_Commサービスセット（セット１）１１０３は、第４のAMF_Commサービスセット（セットｂ）１１０８を指定しているNamf_Communication_N1MessageNotifyを第２のAMF_Commサービスセット（セット２）１１０４に送信する。これは、１２０９において、ＮＲＦ１２０２が第２のAMF_Commサービスセット（セット２）１１０４を新しいＡＭＦ１２０３に示したことによる。１２１１において、新しいＡＭＦ１２０３の第２のAMF_Commサービスセット（セット２）１１０４は、Namf_Communication_UEContextTransferリクエストメッセージを第４のAMF_Commサービスセット（セットｂ）１１０８に送信することによって、ＵＥのコンテキストを要求する。１２１２において、第４のAMF_Commサービスセット（セットｂ）１１０８は、リクエストに応答する。
【０１０７】
図１３は、一実施形態による、モビリティに関する登録シナリオの際のサービスセット選択が示されたフロー図１３００を示す。図１２と同様に、例えばＵＥ２０１に対応するＵＥ１３０１、例えば第２のＲＡＮ２０４に対応するＲＡＮ１３０２、新しいＡＭＦ１１０１に対応する新しいＡＭＦ１３０３、ＮＲＦ１３０４、及び古いＡＭＦ１３０２に対応する古いＡＭＦ１３０５がフローに関係している。
【０１０８】
図１３のアプローチでは、新しいＡＭＦ１３０３が、古いＡＭＦ１３０５に関連付けられたＮＦサービスセットＩＤを含むＵＥコンテキストを古いＡＭＦ１３０５から検索することによるＡＭＦサービスセット再割り当てが必要であることを認識する。したがって、図１２のアプローチとは異なり、ＵＥ１３０１は、どのＡＭＦサービスセットが自身のコンテキストを保持しているかを知る必要はない。
【０１０９】
１３０６において、ＵＥ１３０１は、登録リクエストを新しいＡＭＦ１３０３に送信する。登録リクエストは、（例えば、デフォルトで）第１のAMF_Commサービスセット（セット１）１１０３に割り振られる。１３０７において、新しいＡＭＦ１３０３は、移動端末のコンテキストを発見できないと判定する。１３０８において、新しいＡＭＦ１３０３は、第１のAMF_Commサービスセット（セット１）１１０３がマッピングされる古いＡＭＦ１３０５のＡＭＦサービスセットを発見するために、第１のAMF_Commサービスセット（セット１）１１０３の識別を含む発見リクエストをＮＲＦ１３０４に送信する。この発見は、図５から図１０の例において実行された発見に類似すると考えられる。
【０１１０】
ＮＲＦ１３０４は、第１のAMF_Commサービスセット（セット１）１１０３のマッピングを検査し、第３のAMF_Commサービスセット（セットａ）１１０７にマッピングすることを調べ、また１３０９において、第３のAMF_Commサービスセット（セットａ）１１０７を新しいＡＭＦ１３０３に示す。
【０１１１】
１３１０において、第１のAMF_Commサービスセット（セット１）１１０３は、Namf_Communication_UEContextTransferリクエストを古いＡＭＦ１３０５の第３のAMF_Commサービスセット（セットａ）１１０７に送信する。これは、１３０９において、ＮＲＦ１３０４が第３のAMF_Commサービスセット（セットａ）１１０７を新しいＡＭＦ１３０３に示したことによる。
【０１１２】
１３１１において、古いＡＭＦ１２０３が、ＵＥのコンテキストは第４のAMF_Commサービスセット（セットｂ）１１０８にあることを特定し、また１３１２において、第１のAMF_Commサービスセット（セット１）１１０３に対して、ＵＥのコンテキストが第４のAMF_Commサービスセット（セットｂ）１１０８にあることを示す。したがって、１３１３において、ＡＭＦ１３０３の再割り当てが必要とされる。
【０１１３】
どのＡＭＦサービスセットへの再割り当てが必要であるかを調べるために、新しいＡＭＦ１３０３は、１３１４において、特に第４のAMF_Commサービスセット（セットｂ）１１０８を指定している発見リクエストをＮＲＦ１３０４に送信する。ＮＲＦ１３０４は、第４のAMF_Commサービスセット（セットｂ）１１０８のマッピングを検査し、第２のAMF_Commサービスセット（セット２）１１０４にマッピングすることを調べ、また１３１５において、第２のAMF_Commサービスセット（セット２）１１０４を新しいＡＭＦ１３０３に示す。
【０１１４】
古いＮＦのサービスセットが新しいＮＦのサービスセットに基づいて特定されているのに対し、図５から図１０においては逆のやり方での特定が行われているので、１３１４及び１３１５の発見プロセスは、図５から図１０の発見プロセスとは逆であることが分かる。
【０１１５】
１３１６において、第１のAMF_Commサービスセット（セット１）１１０３は、第４のAMF_Commサービスセット（セットｂ）１１０８を指定しているNamf_Communication_N1MessageNotifyを第２のAMF_Commサービスセット（セット２）１１０４に送信する。これは、１３１５において、ＮＲＦ１３０４が第２のAMF_Commサービスセット（セット２）１１０４を新しいＡＭＦ１３０３に示したことによる。１３１７において、新しいＡＭＦ１３０３の第２のAMF_Commサービスセット（セット２）１１０４は、Namf_Communication_UEContextTransferリクエストメッセージを第４のAMF_Commサービスセット（セットｂ）１１０８に送信することによって、ＵＥのコンテキストを要求する。１３１８において、第４のAMF_Commサービスセット（セットｂ）１１０８は、リクエストに応答し、また１３１９において、第２のAMF_Commサービスセット（セット２）１１０４は、ＵＥ１３０１による登録リクエストに応答する。
【０１１６】
要約すると、様々な実施形態によれば、図１４に図示したような移動体通信ネットワーク構成要素が提供される。図１４は、移動体通信ネットワーク構成要素１４００を示す。移動体通信ネットワーク構成要素１４００は、第１のＮＦの第１のＮＦサービスセットに関して、第１のＮＦサービスセット内の第１のＮＦサービスインスタンスにサービスを提供する第２のＮＦの第２のＮＦサービスセットを特定するように構成された判定部１４０１を具備する。移動体通信ネットワーク構成要素１４００は、さらに、特定された第２のＮＦサービスセットにサービスリクエスト１４０３を送信するように構成された送信部１４０２を具備する。
【０１１７】
換言すれば、様々な実施形態によれば、移動体通信ネットワークの構成要素は、サービスプロデューサのどのＮＦサービスセットが、（移動体通信ネットワーク構成要素自体であってもよいし、別の構成要素であってもよい）サービスコンシューマにサービスを提供すべきかを判定する。この判定のために、移動体通信ネットワーク構成要素は、例えば、サービスコンシューマの互換性要件を考慮してよい。すなわち、判定部は、サービスコンシューマ（第１のＮＦの第１のＮＦサービスセット）とサービスプロデューサ（第２のＮＦの第２のＮＦサービスセット）の互換特性を含んでよい互換性判定基準に基づいた判定を実行してよい。
【０１１８】
換言すれば、様々な実施形態によれば、ＮＦサービスコンシューマ（特に、あるＮＦのＮＦサービスセット）と互換性のあるＮＦサービスプロデューサ（特に、ＮＦの別のＮＦサービスセット）の選択を実行するためのアプローチが提供される。この選択は、（ＮＦサービスセットを要求する）サービスコンシューマ及び（ＮＦサービスセットを提供する）サービスプロデューサのフレーバ（すなわち、例えば実装特性又は互換特性）をマッピングする発見ステップとみなすことができる。
【０１１９】
図７から図１３を参照して上記において説明した実施形態では、コンシューマ及プロデューサがいずれも同一のタイプ（すなわち、ＡＭＦ）であったが、図１４（及び図１５）のアプローチは、一般的に、異なるタイプのサービスを表してよいことに留意されたい。例えば、ＡＭＦサービスが、ＳＭＦ  ＰＤＵセッションサービスを呼び出す場合、リクエストする側のフレーバと互換性のあるＰＤＵセッションサービスのフレーバが要求される。
【０１２０】
特定された第２のＮＦサービスセットに対してサービスリクエストを送信することは、サービスリクエストが第２のＮＦに送信され、またサービスのプロデューサとしての、特定された第２のＮＦサービスセットの指定を含むことを意味してよい。さらに、ＮＦのサービスセットを要求することは、ＮＦサービスセット内のサービスインスタンスのうちの１つを要求することと解してよい。要求されたＮＦサービスセット（又はサービスインスタンス）は、要求に対する応答としてサービスを提供してよい。
【０１２１】
移動体通信ネットワーク構成要素１４００は、例えば、図１５に示したような方法を実行する。図１５は、サービスを要求するための方法が示されたフロー図１５００を示す。
【０１２２】
１５０１において、第１のＮＦの第１のＮＦサービスセットに関して、第１のＮＦサービスセット内の第１のＮＦサービスインスタンスにサービスを提供する第２のＮＦの第２のＮＦサービスセットが特定される。１５０２において、サービスリクエストが、特定された第２のＮＦサービスセットに送信される。
【０１２３】
一実施形態によれば、複数のＮＦインスタンスがＮＦサービスをホストし、また各ＮＦインスタンス内で、同一のフレーバを有するＮＦサービスが、同一のＮＦサービスセットＩＤによって識別される。
【０１２４】
ＮＦインスタンス１内の、ＮＦサービスセットＩＤ１を有するタイプ１のＮＦサービスインスタンス（リクエストする側）と、第２のＮＦインスタンス内の、ＮＦサービスセットＩＤ１と互換性のあるＮＦサービスセットＩＤを有するタイプａのＮＦサービスインスタンス（プロデュースする側）との間のトランザクションが実行されるべきである。このため、一実施形態によれば、以下が実行される：
１．発見：それぞれ適切な第２のＮＦインスタンス内で、ＮＦインスタンス１内のＮＦサービスセットＩＤ１によって識別されたサービスフレーバと互換性のあるＮＦサービスセットＩＤが特定される。
２．メッセージルーティング：ＮＦサービスインスタンス１からのサービスリクエストが、上記の発見に際し特定されてマッピングされたＮＦサービスセットＩＤを有する、選択された第２のＮＦインスタンス内の、ＮＦサービスインスタンスのうちの１つにルーティングされる。
上記１の発見は、ＮＲＦを用いて、コンシューマによって実行されてよい（直接通信）。代替的に、上記１の発見は、サービスメッシュ（ＳＣＰ）によって実行されてもよい（間接通信）。
【０１２５】
移動体通信ネットワーク構成要素及びその各部分（例えば、判定部及び送信部）は、例えば、１つ以上の回路によって実装されてよい。「回路」は、特定の目的の回路、又はメモリ、ファームウェア、若しくはそれらの任意の組み合わせに格納されたソフトウェアを実行するプロセッサであってよい、あらゆる種類の論理実装エンティティとして理解されてよい。したがって、「回路」は、ハードワイヤード論理回路、又はプログラム可能なプロセッサ、例えばマイクロプロセッサ等のプログラム可能な論理回路であってよい。「回路」は、ソフトウェア、例えばあらゆる種類のコンピュータプログラムを実行するプロセッサであってもよい。上記の各機能の他の任意の種類の実装も、「回路」として理解されてもよい。
【０１２６】
特定の態様について説明したが、当業者であれば、添付の特許請求の範囲によって定義される本開示の態様の思想及び範囲から逸脱することなく、形態及び詳細についての様々な変更をそれらの態様において加えてもよいことを理解するであろう。したがって、本開示の範囲は添付の特許請求の範囲によって示されており、また特許請求の範囲の等価物の意図及び範囲に収まるあらゆる変更が包含されることが意図されている。
【図１】
2021520659.tif 000003
【図２】
2021520659.tif 000004
【図３】
2021520659.tif 000005
【図４】
2021520659.tif 000006
【図５】
2021520659.tif 000007
【図６】
2021520659.tif 000008
【図７】
2021520659.tif 000009
【図８】
2021520659.tif 000010
【図９】
2021520659.tif 000011
【図１０】
2021520659.tif 000012
【図１１】
2021520659.tif 000013
【図１２】
2021520659.tif 000014
【図１３】
2021520659.tif 000015
【図１４】
2021520659.tif 000016
【図１５】
2021520659.tif 000017
【国際調査報告】
2021520659.tif 000018
2021520659.tif 000019
2021520659.tif 000020